(57)【要約】【課題】  より簡単な操作で押圧機構による遊技台の固定・解放を可能とした遊技台固定装置および遊技台島を提供する。【解決手段】  遊技台を島に取り付ける際に、上枠固定装置１０のロック機構１４Ａ，１４Ｂによる押圧部材１１Ａ，１１Ｂおよび付勢部材のロック状態を解除する操作を行うことにより、射出機構１４Ａ，１４Ｂにより射出された押圧部材１１Ａ，１１Ｂが枠体３１に当接して、付勢部材による押圧により枠体３１（遊技台）が島に固定される。遊技台を島から取り外す際には、上枠固定装置１０の押し戻し機構１３Ａ，１３Ｂの操作により、遊技台に当接した押圧部材１１Ａ，１１Ｂが押し戻され、押圧部材１１Ａ，１１Ｂおよび付勢部材がロック状態に戻され、枠体３１（遊技台）の固定が解除される。【選択図】  図１
2016202784.tif 000002
【特許請求の範囲】
【請求項１】
互いに対向する上板材および下板材を備えた島の該上板材および該下板材に挟まれる空間に遊技台を固定する遊技台固定装置であって、
前記上板材または前記下板材に形成された空間を通過して前記遊技台に向かって移動可能な押圧部材と、
前記上板材または前記下板材の前記遊技台とは反対側の面に、前記押圧部材を支持するよう配設されるフレームと、
前記フレーム内に配設され、前記押圧部材の前記遊技台への移動を付勢する付勢部材と、
前記押圧部材の移動方向の先端部と前記遊技台とが一定の距離を保つよう前記押圧部材を係止して、該押圧部材をロック状態とするロック機構と、
前記ロック機構による前記押圧部材のロック状態を解除することにより、前記押圧部材を前記遊技台に向かって射出させる射出機構と、を備え、
前記射出機構により射出された前記押圧部材は、前記遊技台に当接して、前記付勢部材による押圧により前記遊技台を前記島に固定することを特徴とする遊技台固定装置。
【請求項２】
前記遊技台に当接した前記押圧部材を押し戻して、前記押圧部材をロック状態にする押し戻し機構を備える、
ことを特徴とする請求項１に記載の遊技台固定装置。
【請求項３】
前記押し戻し機構は、
第１回転操作部と、
前記第１回転操作部の回転トルクを伝達する第１リンク機構と、
前記押圧部材に係合して前記第１リンク機構を介して伝達された回転トルクにより回転する係合部材と、を備える
ことを特徴とする請求項２に記載の遊技台固定装置。
【請求項４】
前記ロック機構は、
第２付勢部材と、
前記押圧部材の側面と係合する摺動部材と、を備え、
前記第２付勢部材の付勢により、前記摺動部材の前記第２付勢部材による付勢方向の先端部が前記押圧部材の側面に押し当てられ、
前記押し戻し機構により前記押圧部材が押し戻されたときに、前記摺動部材の先端部が前記押圧部材の側面と係合する、
ことを特徴とする請求項２または請求項３に記載の遊技台固定装置。
【請求項５】
前記射出機構は、
第２回転操作部と、
前記第２回転操作部の回転トルクを前記摺動部材に伝達する第２リンク機構と、を備え、
前記第２回転操作部の回転操作により、前記摺動部材を前記第２付勢部材の付勢方向とは逆の方向に移動させて、前記ロック機構による前記押圧部材および前記付勢部材のロック状態を解除することを特徴とする請求項４に記載の遊技台固定装置。
【請求項６】
前記押圧部材の前記遊技台に当接する先端部の面に、前記遊技台と点で接する突起部を備え、
前記突起部は、前記押圧部材の先端部の面上で中心から外れた位置に配されている、
ことを特徴とする請求項１乃至請求項５の何れか１項に記載の遊技台固定装置。
【請求項７】
前記フレームは、前記上板材または前記下板材の前記遊技台とは反対側の面上で、前記遊技台の盤面に対して略垂直な方向に摺動可能な略平板状の可動部材の上に配されており、
前記上板材または前記下板材と前記フレーム、前記可動部材および前記押圧部材との間の前記遊技台の盤面に対して略垂直な方向の相対距離を調整して、前記島に固定された前記遊技台の盤面に傾斜角を持たせる傾斜調整機構を備える、
ことを特徴とする請求項１乃至請求項６の何れか１項に記載の遊技台固定装置。
【請求項８】
前記押圧部材の前記突起部は、前記押圧部材の先端部の面上で、前記遊技台の盤面に対して平行となるように、少なくとも略直線状に並べて配置されている
ことを特徴とする請求項６または請求項７に記載の遊技台固定装置。
【請求項９】
前記フレームまたは前記可動部材に設けられ、前記遊技台の背面側位置を規制する位置規制部材を備える、
ことを特徴とする請求項７または請求項８に記載の遊技台固定装置。
【請求項１０】
前記上板材または前記下板材の前記遊技台とは反対側の面上に固定され、前記可動部材、前記付勢部材、前記ロック機構、前記射出機構または前記押し戻し機構を載置するベース板を備える、
ことを特徴とする請求項１乃至請求項９の何れか１項に記載の遊技台固定装置。
【請求項１１】
前記フレーム、前記可動部材または前記ベース板は、前記押圧部材をガイドするガイド部を備える、
ことを特徴とする請求項７乃至請求項１０の何れか１項に記載の遊技台固定装置。
【請求項１２】
請求項１乃至請求項１１の何れか１項に記載の遊技台固定装置を備える、
ことを特徴とする遊技台島。
【請求項１３】
前記遊技台の上方で前記上板材に対応する位置または前記遊技台の下方で前記下板材に対応する位置に板状部材を備え、
前記板状部材は、前記ロック機構、前記射出機構、前記押し戻し機構または前記傾斜調整機構を操作するための開閉自在な開口部を備える、
ことを特徴とする請求項１２に記載の遊技台島。
【請求項１４】
前記上板材または前記下板材に形成された空間は、前記押圧部材が接触しないようにするための逃げ部である、
ことを特徴とする請求項１２または請求項１３に記載の遊技台島。
【請求項１５】
前記遊技台は、パチンコ機およびパチンコ機の上下左右の周囲に形成される枠体であって、パチンコ機の一側部と枠体の一側部とでヒンジを介して回動開閉可能に接続されている、
ことを特徴とする請求項１乃至請求項１１の何れか１項に記載の遊技台固定装置。
【発明の詳細な説明】
【技術分野】
【０００１】
この発明は、より簡単な操作で押圧機構による遊技台の固定・解放を可能とし、装置規模を抑制しつつ遊技台の盤面の傾斜調整を可能とした遊技台固定装置および遊技台島に関する。
【背景技術】
【０００２】
遊技場などでは、新製品への入れ替えや、遊技台の配置換えなどで、島に固定されているスロット台やパチンコ台などの遊技台を交換する作業が発生する。遊技台がねじや釘によって島に固定されている場合には、遊技台の着脱に手間がかかることから、島への遊技台の取付を容易にする技術が種々提案されている。
【０００３】
特許文献１では、枠体の上部に設けられたクランプ体のクランプレバーの操作で上下し、枠体の上端部からパチンコ台側に突出してパチンコ台を圧着する圧着突起を設けた圧着固定装置で、位置決めされたパチンコ台を圧着固定する技法が提案されている。また、特許文献２では、島の上板に取り付けられ、上下方向に可動する可動部材の押圧部材で、遊技機が固定される枠体を上方から下方に向かって押圧し、島に固定する技術が開示されている。さらに、特許文献３では、島に固定されたパチンコ台の傾斜を調整するため、パチンコ台より上部の島の幕板を開けて、傾斜調整する技術が提案されている。
【先行技術文献】
【特許文献】
【０００４】
【特許文献１】特許第３２７５１２５号公報
【特許文献２】特許第４４９１３８３号公報
【特許文献３】特開２０１１−７８５０２号公報
【発明の概要】
【発明が解決しようとする課題】
【０００５】
上記従来の開示された遊技台を取付、固定する技術では、島内の狭所でのレバー操作が必要であるなどの問題があり、操作性・作業性の観点で更なる改善が望まれている。また、遊技台の盤面の傾斜を調整する技術では、パチンコ台より上部の島の幕板を開けて作業を可能とするために、装置が大型化してしまい、装置コストが嵩み、作業性が悪いという問題があった。
【０００６】
そこでこの発明は、より簡単な操作で押圧機構による遊技台の固定・解放を可能とした遊技台固定装置および遊技台島を提供することを目的とする。また、この発明の他の目的は、遊技台の盤面の傾斜調整をよりコンパクトな構成で行い、使い勝手を向上させた遊技台固定装置および遊技台島を提供することである。
【課題を解決するための手段】
【０００７】
上記課題を解決するために、請求項１に記載の発明は、互いに対向する上板材および下板材を備えた島の該上板材および該下板材に挟まれる空間に遊技台を固定する遊技台固定装置であって、前記上板材または前記下板材に形成された空間を通過して前記遊技台に向かって移動可能な押圧部材と、前記上板材または前記下板材の前記遊技台とは反対側の面に、前記押圧部材を支持するよう配設されるフレームと、前記フレーム内に配設され、前記押圧部材の前記遊技台への移動を付勢する付勢部材と、前記押圧部材の移動方向の先端部と前記遊技台とが一定の距離を保つよう前記押圧部材を係止して、該押圧部材をロック状態とするロック機構と、前記ロック機構による前記押圧部材のロック状態を解除することにより、前記押圧部材を前記遊技台に向かって射出させる射出機構と、を備え、前記射出機構により射出された前記押圧部材は、前記遊技台に当接して、前記付勢部材による押圧により前記遊技台を前記島に固定することを特徴とする。
【０００８】
請求項１に記載の発明では、ロック機構により、押圧部材の移動方向の先端部と遊技台とが一定の距離を保つよう押圧部材を係止して、該押圧部材をロック状態とし、射出機構によりロック状態を解除して押圧部材を射出する。射出された押圧部材が遊技台に当接して、付勢部材による押圧により遊技台が島に固定される。ここで、遊技台にはスロット台またはパチンコ台が含まれる。また、射出は、例えば弾性体（圧縮されたばねなど）が復元する際の力を付勢力として利用して、押圧部材を遊技台に向かって打ち出す態様をいう。
【０００９】
請求項２に記載の発明は、請求項１に記載の遊技台固定装置において、前記遊技台に当接した前記押圧部材を押し戻して、前記押圧部材をロック状態にする押し戻し機構を備えることを特徴とする。
【００１０】
請求項３に記載の発明は、請求項２に記載の遊技台固定装置において、前記押し戻し機構は、第１回転操作部と、前記第１回転操作部の回転トルクを伝達する第１リンク機構と、前記押圧部材に係合して前記第１リンク機構を介して伝達された回転トルクにより回転する係合部材と、を備えることを特徴とする。
【００１１】
請求項４に記載の発明は、請求項２または請求項３に記載の遊技台固定装置において、前記ロック機構は、第２付勢部材と、前記押圧部材の側面と係合する摺動部材と、を備え、前記第２付勢部材の付勢により、前記摺動部材の前記第２付勢部材による付勢方向の先端部が前記押圧部材の側面に押し当てられ、前記押し戻し機構により前記押圧部材が押し戻されたときに、前記摺動部材の先端部が前記押圧部材の側面と係合することを特徴とする。
【００１２】
請求項５に記載の発明は、請求項４に記載の遊技台固定装置において、前記射出機構は、第２回転操作部と、前記第２回転操作部の回転トルクを前記摺動部材に伝達する第２リンク機構と、を備え、前記第２回転操作部の回転操作により、前記摺動部材を前記第２付勢部材の付勢方向とは逆の方向に移動させて、前記ロック機構による前記押圧部材および前記付勢部材のロック状態を解除することを特徴とする。
【００１３】
請求項６に記載の発明は、請求項１乃至請求項５の何れか１項に記載の遊技台固定装置において、前記押圧部材の前記遊技台に当接する先端部の面に、前記遊技台と点で接する突起部を備え、前記突起部は、前記押圧部材の先端部の面上で中心から外れた位置に配されていることを特徴とする。
【００１４】
請求項７に記載の発明は、請求項１乃至請求項６の何れか１項に記載の遊技台固定装置において、前記フレームは、前記上板材または前記下板材の前記遊技台とは反対側の面上で、前記遊技台の盤面に対して略垂直な方向に摺動可能な略平板状の可動部材の上に配されており、前記上板材または前記下板材と前記フレーム、前記可動部材および前記押圧部材との間の前記遊技台の盤面に対して略垂直な方向の相対距離を調整して、前記島に固定された前記遊技台の盤面に傾斜角を持たせる傾斜調整機構を備えることを特徴とする。
【００１５】
請求項８に記載の発明は、請求項６または請求項７に記載の遊技台固定装置において、前記押圧部材の前記突起部は、前記押圧部材の先端部の面上で、前記遊技台の盤面に対して平行となるように、少なくとも略直線状に並べて配置されていることを特徴とする。
【００１６】
請求項９に記載の発明は、請求項７または請求項８に記載の遊技台固定装置において、前記フレームまたは前記可動部材に設けられ、前記遊技台の背面側位置を規制する位置規制部材を備えることを特徴とする。
【００１７】
請求項１０に記載の発明は、請求項１乃至請求項９の何れか１項に記載の遊技台固定装置において、前記上板材または前記下板材の前記遊技台とは反対側の面上に固定され、前記可動部材、前記付勢部材、前記ロック機構、前記射出機構または前記押し戻し機構を載置するベース板を備えることを特徴とする。
【００１８】
請求項１１に記載の発明は、請求項７乃至請求項１０の何れか１項に記載の遊技台固定装置において、前記フレーム、前記可動部材または前記ベース板は、前記押圧部材をガイドするガイド部を備えることを特徴とする。
【００１９】
請求項１２に記載の発明は、請求項１乃至請求項１１の何れか１項に記載の遊技台固定装置を備えることを特徴とする。
【００２０】
請求項１３に記載の発明は、請求項１２に記載の遊技台島において、前記遊技台の上方で前記上板材に対応する位置または前記遊技台の下方で前記下板材に対応する位置に板状部材を備え、前記板状部材は、前記ロック機構、前記射出機構、前記押し戻し機構または前記傾斜調整機構を操作するための開閉自在な開口部を備えることを特徴とする。
【００２１】
請求項１４に記載の発明は、請求項１２または請求項１３に記載の遊技台島において、前記上板材または前記下板材に形成された空間は、前記押圧部材が接触しないようにするための逃げ部であることを特徴とする。
【００２２】
請求項１５に記載の発明は、請求項１乃至請求項１１の何れか１項に記載の遊技台固定装置において、前記遊技台は、パチンコ機およびパチンコ機の上下左右の周囲に形成される枠体であって、パチンコ機の一側部と枠体の一側部とでヒンジを介して回動開閉可能に接続されていることを特徴とする。
【発明の効果】
【００２３】
本発明によれば、射出機構によりロック状態、即ち押圧部材および付勢部材の係止状態を解除して押圧部材を射出し、射出された押圧部材が遊技台または枠体に当接して、付勢部材による押圧により遊技台が島に固定されるので、例えば、射出機構を回転操作部およびリンク機構で構成すれば、回転操作のみによってロック状態を解除して、遊技台の島への固定作業が完了することとなり、より簡単な操作で押圧機構による遊技台の固定を可能とした遊技台固定装置および遊技台島を実現することができる。
【００２４】
また、本発明によれば、押し戻し機構により、遊技台に当接した押圧部材を押し戻して、押圧部材および付勢部材をロック状態にするので、例えば、押し戻し機構を回転操作部およびリンク機構で構成すれば、回転操作のみによってロック状態に戻して、遊技台の島への固定解放作業が完了することとなり、より簡単な操作で押圧機構による遊技台の固定解放を可能とした遊技台固定装置および遊技台島を実現することができる。
【００２５】
また、本発明によれば、押し戻し機構において、第１回転操作部の回転操作のみで、係合部材が回転して押圧部材を押し戻してロック状態に戻し、遊技台の島への固定解放作業が完了するので、より簡単な操作で押圧機構による遊技台の固定解放を可能となる。
【００２６】
また、本発明によれば、ロック機構において、第２付勢部材の付勢により摺動部材の先端部が押圧部材の側面に押し当てられ、押し戻し機構により押圧部材が押し戻されたときには摺動部材の先端部が押圧部材の側面と自動的に係合するので、押し戻し機構のみの操作でロック状態への回帰が可能となり、より簡単な操作で押圧機構による遊技台の固定解放が可能となる。
【００２７】
また、本発明によれば、射出機構において、第２回転操作部の回転操作により、摺動部材を第２付勢部材の付勢方向とは逆の方向に移動させて、ロック機構による押圧部材および付勢部材のロック状態を解除するので、回転操作のみという、より簡単な操作で押圧機構による遊技台の固定が可能となる。
【００２８】
また、本発明によれば、突起部を備えた構造とすることにより、射出機構によって押圧部材が射出されたときに、突起部が遊技台（例えば、パチンコ台の枠体）突き刺さり、付勢部材の付勢力による押圧部材の先端部の当接がより強固なものとなり、より確実な固定が可能となる。また、突起部を押圧部材の先端部の当接面上で中心から外れた位置に配することにより、繰り返し使用によって枠体の表面が局所的に劣化した場合でも、押圧部材または枠体を押圧部材の移動方向を軸として１８０度回転させることで、遊技台（例えば、パチンコ台の枠体）の表面上で突起部が突き刺さる位置を変えることができ、遊技台（例えば、パチンコ台の枠体）の使用寿命を延ばすことができ、遊技台交換作業等のコストを抑制することが可能となる。
【００２９】
また、本発明によれば、傾斜調整機構により、上板材または下板材とフレーム、可動部材および押圧部材との間の遊技台の盤面に対して略垂直な方向の相対距離を調整して、島に固定された遊技台の盤面に傾斜角を持たせるので、より簡単な構成で遊技台の盤面の傾斜調整を行い得る遊技台固定装置および遊技台島を実現することができる。
【００３０】
また、本発明によれば、押圧部材の突起部を、押圧部材の先端部の面上で、遊技台の盤面に対して平行となる略直線状に並べて配置することにより、傾斜調整機構による遊技台の傾斜調整時に、押圧部材の先端部の突起部が支点となり易くなるため、より正確な傾斜調整が可能となる。
【００３１】
また、本発明によれば、フレームまたは可動部材に設けられた位置規制部材によって、遊技台または枠体の背面側位置を規制するので、遊技台の交換（着脱）作業における位置調整が容易となり、作業性を向上させることができる。
【００３２】
また、本発明によれば、上板材上または下板材上に固定され、可動部材、付勢部材、ロック機構、射出機構または押し戻し機構を載置するベース板を備えた構成としたので、上板材上または下板材上に形成していた各種部材をベース板上に形成することができ、遊技台固定装置のモジュール化を図ることができ、また遊技台固定装置の汎用性も高めることができる。
【００３３】
また、本発明によれば、フレーム、可動部材またはベース板に、押圧部材をガイドするガイド部を備えた構成とすることにより、押圧部材の射出方向の精度をより高めて、より確実に遊技台を固定することができる。また、押圧部材と遊嵌するガイド部とすることにより、押圧部材の側面との接触を回避することができる。
【００３４】
また、本発明によれば、遊技台の上方で上板材に対応する位置または遊技台の下方で下板材に対応する位置に板状部材を備え、板状部材は、ロック機構、射出機構、押し戻し機構または傾斜調整機構を操作するための開閉自在な開口部を備える構成としたので、島内の狭所での操作が不要となり、押圧機構による遊技台の固定・解放操作の操作性を向上させることができる。
【００３５】
また、本発明によれば、上板材または下板材に形成された空間は、押圧部材が接触しないようにするための逃げ部であるので、押圧部材の側面との接触を回避することができ、押圧部材の射出方向の精度をより高めることができる。
【図面の簡単な説明】
【００３６】
【図１】本発明の実施の形態に係る遊技台固定装置を右斜め前方から見た斜視図である。
【図２】本発明の実施の形態に係る遊技台固定装置を右斜め後方から見た斜視図である。
【図３】本発明の実施の形態に係る遊技台島を左斜め前方から見た斜視図である。
【図４】図１の上枠固定装置１０を右斜め前方から見た斜視図である。
【図５】図１の上枠固定装置１０を右斜め後方から見た斜視図である。
【図６】図１の右側上枠固定装置１０Ａを示す正面図（ａ）と背面図（ｂ）である。
【図７】図１の右側上枠固定装置１０Ａを示す平面図（ａ）と下面図（ｂ）である。
【図８】図１の右側上枠固定装置１０Ａを示す右側面図（ａ）と左側上枠固定装置１０Ｂを示す左側面図（ｂ）である。
【図９】図１の右側上枠固定装置１０Ａのフレーム内構造を例示するロック状態時の説明図である。
【図１０】図１の右側上枠固定装置１０Ａのフレーム内構造を例示するロック解放時の説明図である。
【図１１】図１の右側上枠固定装置１０Ａのフレーム内構造を例示するロック状態時の説明図（背面図）である。
【図１２】図１の右側下枠固定装置２０Ａを右斜め前方から見た固定解除時の斜視図（ａ）と右斜め後方から見た固定時の斜視図（ｂ）である。
【図１３】変形例の右側上枠固定装置１０Ｃを例示する正面図であり、（ａ）はロック状態時を、（ｂ）はロック解除時をそれぞれ示す。
【発明を実施するための形態】
【００３７】
以下、この発明を図示の実施の形態に基づいて説明する。なお、遊技台とは、パチンコ台および／またはスロット台である。具体的に、パチンコ台は、盤面、ハンドル、コンピュータ等で構成されるパチンコ機、並びに、パチンコ機の上下左右の周囲に形成される枠体であって、パチンコ機の一側部と枠体の一側部とでヒンジを介して回動開閉可能に接続されたものである。また、スロット台は、遊技者側に開口部を有する筐体、開口部を開閉可能に覆う前扉、回動リール、コンピュータ等を有するものである。本発明の実施の形態では、遊技台がパチンコ台の場合について説明する。
【００３８】
「実施の形態」
「遊技台固定装置の全体構成」
図１は本発明の実施の形態に係る遊技台固定装置１０，２０を右斜め前方から見た斜視図であり、図２は遊技台固定装置１０，２０を右斜め後方から見た斜視図である。ここで、遊技台固定装置１０，２０は上枠固定装置１０および下枠固定装置２０である。上枠固定装置１０は、遊技台島（以下の説明では、単に島と称することもある）に備えられている上板材５１に対向配置される枠体３１の上辺部を、該上板材５３に固定するものであり、下枠固定装置２０は、島に備えられている下板材５２の上面に載置される枠体３１の下辺部を、該下板材５２に当接させて固定するものである。なお、島において、上板材５１および下板材５２は対向配置されており、これら上板材５１および下板材５２に挟まれる空間に枠体３１（遊技台）が固定される。また、下板材５２は島下部８０の膳板５４上に載置されており、図中、二点鎖線で表記する５５は下補助材、５３は上補助材である。ここで、下補助材５５は、枠体３１の一部を形成し、パチンコ台の装飾（パチンコ台のスピーカ等が設置される部材）として使用される。また、上補助材５３は、上板材５１の手前側（遊技者側）に設置され、例えば、ランプ板６１や装飾部７０などが該当する。なお、上補助材５３は、ベース板１６の手前側（遊技者側）方向の取り付け基準位置として利用することも可能である。また、枠体３１の内側の空間には、遊技台（３０）が嵌め込まれて固定されている。この遊技台（３０）の枠体３１に対する固定は、適当な周知技術を用いて行われる。
【００３９】
図１および図２において、上枠固定装置１０は、一対の右側上枠固定装置１０Ａおよび左側上枠固定装置１０Ｂを備えている。代表的に、右側上枠固定装置１０Ａの大まかな構成について説明すると、右側上枠固定装置１０Ａ（遊技台固定装置）は、上板材５１に形成された空間を通過して枠体３１（遊技台）に向かって移動可能な押圧部材１１Ａと、上板材５１の枠体３１（遊技台）とは反対側の面に、押圧部材１１Ａを囲むよう配設されるフレーム１７Ａと、フレーム１７Ａ内に配設され、押圧部材１１Ａの枠体３１（遊技台）への移動を付勢する付勢部材（不図示）と、押圧部材１１Ａの移動方向の先端部（先端部１１２および突起部１１２ａ）と枠体３１（遊技台）とが、例えば、島に対して遊技台の着脱に支障のない一定の距離を保つよう押圧部材１１Ａを係止して、押圧部材１１Ａをロック状態とするロック機構１４Ａと、ロック機構１４Ａによる押圧部材１１Ａのロック状態を解除することにより、押圧部材１１Ａを枠体３１（遊技台）に向かって射出させる射出機構１４Ａと、遊技台に当接した押圧部材１１Ａを押し戻して、押圧部材１１Ａをロック状態にする押し戻し機構１３Ａと、を備えている。なお、この実施の形態では、押圧部材の先端部１１２および突起部１１２ａが上板材５１の上板孔５１ａに入り込み（図９〜図１１参照）、手前側（遊技者側）から見た場合、見えない位置で停止している。
【００４０】
また、下枠固定装置２０は、一対の右側下枠固定装置２０Ａおよび左側下枠固定装置２０Ｂを備えている。なお、下枠固定装置２０の具体的構成については後述する。
【００４１】
遊技台を島に取り付ける際には、（パチンコ機が嵌め込まれた）枠体３１を取付部６０の上板材５１と下板材５２に挟まれる空間へ設置し、下枠固定装置２０の第２部材２０３の折り曲げ部２０３ｂに枠体３１の下辺部を当接させて、枠体３１の設置位置を仮決めする（図１２（ｂ）参照）。続いて上枠固定装置１０のロック機構１４Ａ，１４Ｂによる押圧部材１１Ａ，１１Ｂおよび付勢部材のロック状態を解除する操作を行うことにより、射出機構１４Ａ，１４Ｂにより射出された押圧部材１１Ａ，１１Ｂが枠体３１（遊技台）に当接して、付勢部材による押圧により枠体３１（遊技台）が島に固定される。次に、枠体３１からパチンコ機の部分を手前側に開いて、下枠固定装置２０による固定を行うことで、島へ枠体３１（遊技台）が固定される。また、遊技台を島から取り外す際は、取り付け手順を逆に行う。具体的には、下枠固定装置２０による固定を解除すると共に、上枠固定装置１０の押し戻し機構１３Ａ，１３Ｂの操作により、遊技台に当接した押圧部材１１Ａ，１１Ｂが押し戻され、押圧部材１１Ａ，１１Ｂおよび付勢部材がロック状態に戻され、枠体３１（遊技台）の固定が解除されることになる。なお、下枠固定装置２０は必ず使用しなければならないことはなく、下枠固定装置２０を使用しなくても良い。
【００４２】
また、右側上枠固定装置１０Ａ（遊技台固定装置）は、上板材５１とフレーム１７Ａおよび押圧部材１１Ａとの間の遊技台の盤面３２に対して略垂直な方向の相対距離を調整して、島に固定された遊技台の盤面３２に傾斜角を持たせる傾斜調整機構１８Ａと、フレーム１７Ａに接合され、枠体３１（遊技台）の背面側位置を規制する位置規制部材９Ａと、を備えている。すなわち、島に固定された遊技台について、傾斜調整機構１８Ａの操作により傾斜の調整が可能となる。
【００４３】
「遊技台島の構成」
次に、図３は、本発明の実施の形態に係る遊技台島１を左斜め前方から見た斜視図である。図３では、一の遊技台３０について、上枠固定装置１０を例示するために、部分的に破断図表記となっており、また、島１の長手方向における端面パネルを取り外して、島１の内部を例示している。なお、図３では、遊技台３０としてパチンコ台を例示しているが、スロット台を取り付ける場合には、位置規制部材９Ａ（第１Ｌ字状部材１８５、第２Ｌ字状部材１８６およびねじ１８７；図８等参照）を取り外すことで上枠固定装置の使用が可能となる。
【００４４】
島１は、骨材に種々の部品を取り付けて構成される。島１は、島下部８０、島上部の取付部６０、装飾部７０をその両面に備えている。なお、島１の長手方向における両端面、並びに島１の上面には、島１の内部を隠すための化粧板が取り付けられるが、これについては図示を省略している。島下部８０は、島１を支える土台であり、土台支柱の島１の幅方向に露出する２つの面の双方に、土台板を取り付けることで構成されている。島下部８０の上方には、膳板５４が取り付けられている。膳板５４は、島１の取付部６０からテーブル状に張り出しており、例えば、不図示の灰皿等が取り付けられるようになっている。
【００４５】
取付部６０には、遊技台３０が横並び状態で取り付けられるようになっている。ここで、遊技台３０には、スロット台やパチンコ台等が含まれ、何れかの遊技台３０が取り付け面に取り付け可能である。なお、図３では、パチンコ台が取り付けられた態様を示している。パチンコ台は、島１の幅方向に露出した両面に設けられた取付部６０のそれぞれに、横並びで取り付けられている。
【００４６】
具体的には、島１において、上板材５３および下板材５２が対向配置されており、これら上板材５１および下板材５２に挟まれる空間に、（遊技台３０が嵌め込まれた）枠体３１が固定される。すなわち、遊技台３０が取り付けられる該当位置では、上板材５１上に一対の右側上枠固定装置１０Ａおよび左側上枠固定装置１０Ｂが、下板材５２上に一対の右側下枠固定装置２０Ａおよび左側下枠固定装置２０Ｂが、それぞれ設置されており、各固定装置について、所定の操作を行うことにより、遊技台３０が固定または固定解除されることになる。
【００４７】
取付部６０のランプ板６１には呼び出しランプが取り付けられている。このランプ板６１は取り外して開口状態とすることが可能な場合がある。つまり、ランプ板６１は、遊技台３０の上方で上板材５１に対応する位置の板状部材に該当し、これを取り外したり、また板状部材を手前側に開けて開口状態とすることにより、その開口部を介して、ロック機構および射出機構１４Ａ，１４Ｂ、押し戻し機構１３Ａ，１３Ｂおよびまたは傾斜調整機構１８Ａ，１８Ｂの操作を行うことが可能である。一方、このランプ板６１を取り外したり、開口状態とすることができない場合には、ランプ板６１に孔（操作用窓）を設置して、該孔（操作用窓）を介して、ロック機構および射出機構１４Ａ，１４Ｂ、押し戻し機構１３Ａ，１３Ｂまたは傾斜調整機構１８Ａ，１８Ｂの各回転部（回転操作部）を島１の外側（手前側）から操作できるようにしても良い。さらに、取付部６０にランプ板６１が設けられておらず、上板材５１の上部に装飾部７０が配置される構造の島もある。この場合には、ランプ板６１がないため、呼び出しランプは装飾部７０に取り付けられることとなり、装飾部７０を開口状態としたり、装飾部７０に孔（操作用窓）を設けたりして、各回転部（回転操作部）を操作できるようにしても良い。なお、各回転部（回転操作部）の操作は、ドライバーのような専用冶具を用いて行われ、例えば、遊技台島の遊技者側から操作用窓を介して操作可能となる。
【００４８】
「各部の構成」
次に、図４〜図１１を参照して、上枠固定装置１０におけるベース板１６、フレーム１７Ａ，１７Ｂ、押圧部材１１Ａ，１１Ｂ、付勢部材１２Ａ，１２Ｂ、ロック機構および射出機構１４Ａ，１４Ｂ、押し戻し機構１３Ａ，１３Ｂ、傾斜調整機構１８Ａ，１８Ｂ、並びに、位置規制部材９Ａ，９Ｂの各部の具体的構成について、詳細に説明する。なお、図６〜図１１には、代表的に、右側上枠固定装置１０Ａの具体的構成が例示されており、以下では右側上枠固定装置１０Ａを中心に説明するが、左側上枠固定装置１０Ｂについても同等である。
【００４９】
「ベース板の構造」
先ず、ベース板１６は、島１の上板材５１の遊技台３０とは反対側の面上に固定されている。また、図４および図５に示すように、ベース板１６上には、傾斜調整機構１８Ａの可動部材１７６、可動部材１７６に接合されているフレーム１７Ａ、該フレーム１７Ａ内に配設されている付勢部材１２Ａ、ロック機構および射出機構１４Ａ、並びに押し戻し機構１３Ａが載置されている。
【００５０】
また、ベース板１６は、底部１６Ｂ、前方折り曲げ部１６Ａ、後方折り曲げ部１６Ｃを備える。また、傾斜調整機構１８Ａの第３回転部１８１および調整棒部材１８２は、ベース板１６を折り曲げ成形して形成された調整棒固定部１６Ｄに取り付けられている。なお、押し戻し機構１３Ａの第１コイルばね１３２および第１クランク１３３、並びにロック機構および射出機構１４Ａの第２コイルばね１４２および第２クランク１４３は、それぞれベース板１６を折り曲げ成形して形成された折り曲げ部に取り付けられている。
【００５１】
また、ベース板１６（底部１６Ｂ）の押圧部材１１Ａが貫通する位置には、図７（ｂ）に示すように、長孔形状のガイド孔（ガイド部）１６Ｆが形成されている。また、上下方向でガイド孔１６Ｆとほぼ同一の位置で、島１の上板材５１の押圧部材１１Ａが貫通する位置に、上板孔（上板材５１に形成された空間、即ち逃げ部）５１ａが形成されている（図９〜図１１参照）。このように、ベース板１６のガイド孔１６Ｆは、後述のように、傾斜調整機構１８Ａによって押圧部材１１Ａの貫通位置が遊技台３０に対して手前側（遊技者側）または奥側（遊技者と反対側）にずれたとしても、ベース板１６に押圧部材１１Ａの側面が接触しないようにするためのものであり、上板材５１の上板孔５１ａは、押圧部材１１Ａの先端部１１２および突起部１１２ａの側面が接触しないようにするためのものである。言い換えれば、押圧部材１１Ａが手前側（遊技者側）または奥側（遊技者と反対側）へ移動可能とする長孔形状のガイド孔１６Ｆが配されている。
【００５２】
なお、上板材５１の上板孔５１ａの形状については、長孔に限定されることなく、角形やＵ字形状として、上板材５１の長手方向に対して側面となる端部から切り欠きが形成されるようにしても良い。つまり、押圧部材１１Ａおよび押圧部材の先端部１１２、突起部１１２ａの側面が接触しないように逃げ部が形成されていれば良い。なお、長孔形状のガイド孔１６Ｆはガイド機能も兼ね備えており、遊技台３０（枠体３１の上辺部）に対して押圧部材１１Ａをほぼ垂直に射出させることが可能となり、押圧部材１１Ａの射出方向の精度をより高めて、より確実に遊技台３０（枠体３１）を固定することができる。
【００５３】
「フレームの構造」
次に、フレーム１７Ａは、上板材５１の遊技台３０とは反対側の面上に押圧部材１１Ａを囲むよう配設されている。具体的には、図７（ａ）に示すように、フレーム１７Ａは、遊技台３０の盤面３２に対して略垂直な方向に摺動可能な略平板状の可動部材１７６（傾斜調整機構１８Ａ）の上に載置されて該可動部材１７６と接合（ねじ止め）されている。つまり、傾斜調整時には、可動部材１７６および押圧部材１１Ａと共に摺動することになる。また、フレーム１７Ａは、上面１７１、前面１７２、右側面１７３、背面１７４および左側面を備えている。
【００５４】
フレーム上面１７１には、押圧部材１１Ａの上端部１１１の外周面形状に沿った内周面形状を持つ内空円筒形状の上面ガイド部（ガイド部）１７１ａを備えている。この上面ガイド部１７１ａにより、押圧部材１１Ａの射出方向の精度をより高めることができる。また、図６（ｂ）に示すように、フレーム右側面１７３には、右側面ガイド部１７３ａを備えており、該右側面ガイド部１７３ａの面上に、押し戻し機構１３Ａの係合部材１３５の回転動作の回転軸となる接合ピン１３６が配されている。さらに、図６（ｂ）に示すように、フレーム左側面１７５には、左側面ガイド部１７５ａを備えており、該左側面ガイド部１７５ａの面上に、ロック機構１４Ａの摺動部材１４５の摺動動作をガイドする係止ピン１７５ｂが配されている。
【００５５】
「押圧部材および付勢部材の構造」
次に、押圧部材１１Ａは、上板材５１に形成された空間、即ち上板孔５１ａ（およびベース板１６のガイド孔１６Ｆ）を通過して遊技台３０（枠体３１の上辺部）に向かって移動可能である。また、押圧部材１１Ａの全体形状は棒状（円筒形状）であるが、押圧部材１１Ａの上端部１１１は、押圧部材１１Ａが回転動作（移動方向を軸とした回転）をすることの無いように、移動方向に対して垂直な面の断面形状をＤ字形状（図７（ａ）参照）としている。
【００５６】
また、図９〜図１１に示すように、押圧部材１１Ａの移動方向に対して中央付近となる位置には、相対的に径の大きい張り出し部１１３を備えている。張り出し部１１３の上面側は、付勢部材１２Ａの一端を係止する。また、張り出し部１１３の下面側は、ロック機構１４Ａの摺動部材１４５の先端部１４５ａと係合し、押し戻し機構１３Ａの係合部材１３５の先端部１３５ａと係合する。また、押圧部材１１Ａの移動範囲において、傾斜調整機構１８Ａの調整棒部材１８２の先端部が当たる範囲には、該先端部分が押圧部材１１Ａの側面と接触しないようにするために、逃がし１１４が形成されている。
【００５７】
また、押圧部材１１Ａは、当該押圧部材１１Ａが射出機構１４Ａによって射出されたときに、枠体３１（遊技台３０）に当接する押圧部材の先端部１１２を備え、該押圧部材の先端部１１２の当接面に、枠体３１（遊技台３０）と点で接する突起部１１２ａを備えている。突起部１１２ａは、図７（ｂ）に示すように、押圧部材の先端部１１２の当接面上で中心から外れた位置に配されており、遊技台３０の盤面３２に対して平行となる略直線状に並べて配置されている。なお、押圧部材の先端部１１２を弾性部材で構成し、該弾性部材に突起部１１２ａが隠れるように覆われた構成としてもよい。これにより、押圧部材の先端部１１２が枠体３１（遊技台３０）と当接した場合は、弾性部材が付勢部材１２Ａの付勢力により押しつぶされて突起部１１２ａが枠体３１（遊技台３０）と当接する。一方、押圧部材の先端部１１２が枠体３１（遊技台３０）と当接していない非当接時には、突起部１１２ａが弾性部材に隠れるように覆われるため、突起部１１２ａが露出せず、安全に取扱いが可能となる。
【００５８】
押圧部材１１Ａに突起部１１２ａを備えた構造とすることにより、射出機構１４Ａによって押圧部材１１Ａが射出されたときに、突起部１１２ａが枠体３１（遊技台３０）に突き刺さり、付勢部材１２Ａの付勢力による押圧部材の先端部１１２の当接がより強固なものとなる。例えば、付勢部材１２Ａの付勢力のかかる方向に対して垂直となる方向に外力が加わった場合に、該外力が枠体３１（遊技台３０）に突き刺さっている突起部１１２ａの周囲面で受け止められることとなり、より確実な固定が可能となる。
【００５９】
また、突起部１１２ａを、押圧部材の先端部１１２の当接面上で中心から外れた位置に配することにより、繰り返し使用によって枠体３１の表面が局所的に劣化した場合でも、押圧部材１１Ａまたは枠体３１を押圧部材１１Ａの移動方向を軸として１８０度回転させることで、枠体３１の表面上で突起部１１２ａが突き刺さる位置を変えることができ、枠体３１の使用寿命を延ばすことができ、遊技台３０交換作業等のコストを抑制することが可能となる。
【００６０】
また、図７（ｂ）に示すように、押圧部材の先端部１１２の突起部１１２ａを複数個（例示では４個）備えた構成としても良い。これら複数の突起部１１２ａを、遊技台３０の盤面３２に対して平行となる略直線状に並べて配置することにより、傾斜調整機構１８Ａによる遊技台３０の傾斜調整時に、押圧部材１１Ａの先端部１１２の突起部１１２ａが支点となり易くなるため、より正確な傾斜調整が可能となる。
【００６１】
また、付勢部材１２Ａは、フレーム１７Ａ内に配設され、押圧部材１１Ａの枠体３１（遊技台３０）への移動を付勢する。この実施の形態では、付勢部材１２Ａとして弾性体（ばね）を使用し、圧縮されたばねの復元力を付勢力として利用している。付勢部材１２Ａの一端は、上述したように押圧部材１１Ａの張り出し部１１３の上面側で係止されており、付勢部材１２Ａの他端は、フレーム１７Ａの上面１７１の内側面で係止されている。
【００６２】
「ロック機構および射出機構の構成」
次に、ロック機構１４Ａは、押圧部材１１Ａの移動方向の先端部１１２と枠体３１（遊技台３０）とが一定の距離を保つよう押圧部材１１Ａを係止して、該押圧部材１１Ａをロック状態とする。また、射出機構１４Ａは、ロック機構１４Ａによる押圧部材１１Ａのロック状態を解除することにより、押圧部材１１Ａを枠体３１（遊技台３０）に向かって射出させる。なお、この実施の形態では、ロック機構１４Ａにより押圧部材１１Ａをロック状態とする際、付勢部材１２Ａも同時にロック状態となる。この場合、より確実にロック状態とすることが可能となる。
【００６３】
具体的に、ロック機構および射出機構１４Ａは、第２回転部（第２回転操作部）１４１と、第２コイルばね（第２付勢部材）１４２と、第２クランク１４３と、第２回転部１４１の回転トルクを摺動部材１４５に伝達する第２リンク棒（第２リンク機構）１４４と、第２コイルばね１４２の付勢により摺動部材の先端部１４５ａが押圧部材１１Ａの側面に押し当てられ、押し戻し機構１３Ａにより押圧部材１１Ａが押し戻されたときに、摺動部材の先端部１４５ａが押圧部材１１Ａの側面と係合する摺動部材１４５と、を備えている。
【００６４】
ロック機構１４Ａにおいて、第２コイルばね１４２の付勢により摺動部材の先端部１４５ａが押圧部材１１Ａの側面に押し当てられ、押し戻し機構１３Ａにより押圧部材１１Ａが押し戻されたときには、摺動部材の先端部１４５ａが押圧部材１１Ａの側面と自動的に係合するので、押し戻し機構１３Ａのみの操作でロック状態への回帰が可能となり、より簡単な操作で押圧機構による遊技台３０の固定解放が可能となる。
【００６５】
また、射出機構１４Ａにおいて、第２回転部１４１の回転操作により、摺動部材１４５を第２コイルばね１４２の付勢方向とは逆の方向に摺動させて、ロック機構１４Ａによる押圧部材１１Ａのロック状態を解除するので、回転操作のみという、より簡単な操作で押圧機構による遊技台３０の固定が可能となる。換言すれば、第２回転部１４１の回転操作のみによってロック状態を解除して、遊技台３０の島１への固定作業が完了することとなり、より簡単な操作で押圧機構による遊技台の固定を可能とした遊技台固定装置および遊技台島を実現することができる。
【００６６】
「押し戻し機構の構成」
次に、押し戻し機構１３Ａは、枠体３１（遊技台３０）に当接した押圧部材１１Ａを押し戻して、押圧部材１１Ａをロック状態にする。具体的に、押し戻し機構１３Ａは、第１回転部（第１回転操作部）１３１と、第１コイルばね１３２と、第１クランク１３３と、第１回転部１３１の回転トルクを係合部材１３５に伝達する第１リンク棒（第１リンク機構）１３４と、第１コイルばね１３２の付勢により先端部が押圧部材１１Ａの側面に押し当てられ、押圧部材１１Ａに係合して第１リンク棒１３４を介して伝達された回転トルクにより回転して押圧部材１１Ａを押し戻す係合部材１３５と、を備えている。
【００６７】
押し戻し機構１３Ａにより、遊技台３０に当接した押圧部材１１Ａを押し戻して、押圧部材１１Ａをロック状態にする。また、押し戻し機構１３Ａに第１回転部１３１およびリンク機構を備えて構成することで、第１回転部１３１の回転操作のみによってロック状態に戻して、遊技台３０の島１への固定解放作業が完了することとなり、より簡単な操作で押圧機構による遊技台３０の固定解放を可能とした遊技台固定装置および遊技台島を実現することができる。
【００６８】
「傾斜調整機構および位置規制部材の構成」
次に、傾斜調整機構１８Ａは、上板材５１とフレーム１７Ａ、可動部材１７６および押圧部材１１Ａとの間の遊技台３０の盤面３２に対して略垂直な方向の相対距離を調整して、島１に固定された遊技台３０の盤面３２に傾斜角を持たせる。具体的に、傾斜調整機構１８Ａは、ベース板１６上で遊技台３０の盤面３２に対して略垂直な方向に摺動可能な略平板状の可動部材１７６と、第３回転部１８１と、調整棒部材１８２とを備えている。ここで、遊技台３０の盤面３２に対して略垂直な方向への摺動とは、遊技台３０に対して手前側（遊技者側）または奥側（遊技者と反対側）の何れかの方向への摺動である。
【００６９】
可動部材１７６は、図７（ａ）に示すように、３箇所に、遊技台３０の盤面３２に対して略垂直な方向に伸びる長孔１７６ａ，１７６ｂ，１７６ｃを備えており、それぞれの長孔１７６ａ，１７６ｂ，１７６ｃ内に、ベース材１６と結合した係止ピン（図７（ａ）では１７６ｄのみを示す）が位置しており、長孔と係止ピンとの組で摺動ガイドが形成されている。また、調整棒部材１８２にはねじ切りが施されており、第３回転部１８１の回転操作により、ベース板１６と可動部材１７６との相対距離をスクリュー（螺旋回し）で調整可能な構成となっている。
【００７０】
このように、傾斜調整機構１８Ａにより、上板材５１とフレーム１７Ａ、可動部材１７６および押圧部材１１Ａとの間の遊技台３０の盤面３２に対して略垂直な方向の相対距離を調整して、島１に固定された遊技台３０の盤面３２に傾斜角を持たせるので、より簡単な構成で遊技台の盤面３２の傾斜調整を行い得る遊技台固定装置および遊技台島を実現することができる。
【００７１】
また、位置規制部材９Ａは、フレーム１７Ａに接合され、枠体３１（遊技台３０）の背面側位置を規制する。具体的に、位置規制部材９Ａは、図７および図８（ａ）に示すように、第１Ｌ字状部材１８５と、第２Ｌ字状部材１８６と、ねじ１８７とを備えている。第１Ｌ字状部材１８５は、フレーム１７Ａの右側面１７４に接合されており、該第１Ｌ字状部材１８５とねじ１８７を介して接合される第２Ｌ字状部材１８６の短辺側の面が枠体３１の上辺部の端面と当接して（図２または図９〜図１１参照）、枠体３１の背面側位置が規制されることになる。これにより、遊技台３０の交換（着脱）作業における位置調整が容易となり、作業性を向上させることができる。
【００７２】
「ロック機構、射出機構および押し戻し機構の作用」
次に、図９〜図１１を参照して、ロック機構および射出機構１４Ａ並びに押し戻し機構１３Ａの作用について説明する。図９〜図１１は、右側上枠固定装置１０Ａのフレーム１７Ａ内構造を例示する説明図であり、図９はロック状態時を、図１０はロック解除時を、図１１はロック状態時（の背面図）を、それぞれ示す。
【００７３】
図９に示すように、ロック状態では、ロック機構１４Ａにおいて、摺動部材１４５の先端部１４５ａの段状切り欠き部が押圧部材１１Ａの張り出し部１１３の左下角部と係合して、押圧部材１１Ａの移動方向の押圧部材の先端部１１２と枠体３１との間で一定距離が保たれ、押圧部材１１Ａおよび付勢部材１２Ａが係止された状態である。なお、この時、押し戻し機構１３Ａの係合部材１３５は、第１コイルばね１３２の付勢により図示の回転角となって、係合部材１３５の先端部１３５ａが押圧部材１１Ａの側面に押し当てられた状態である。
【００７４】
このロック状態で、射出機構１４Ａにおいて、第２回転部１４１を反時計回りに回転操作すると、摺動部材１４５は第２コイルばね１４２の付勢方向とは逆の左側方向に摺動して、ロック機構１４Ａにおいて、摺動部材１４５の先端部１４５ａの段状切り欠き部と押圧部材１１Ａの張り出し部１１３の左下角部との係合が解除され、押圧部材１１Ａおよび付勢部材１２Ａのロック状態が解除されることになる。
【００７５】
すなわち、図１０に示すように、射出機構１４Ａの第２回転部１４１の回転操作により、押圧部材１１Ａが枠体３１に向かって射出され、押圧部材１１Ａの先端部１１２の突起部１１２ａが枠体３１に突き刺さり、付勢部材１２Ａの付勢力による押圧部材の先端部１１２の当接が強固なものとなっている。なお、この時、押し戻し機構１３Ａの係合部材１３５は、第１コイルばね１３２の付勢により図示の回転角となって、係合部材１３５の先端部１３５ａが押圧部材１１Ａの側面に押し当てられた状態である。
【００７６】
このロック解除（図１０）の状態で、押し戻し機構１３Ａにおいて、第１回転部１３１を時計回りに回転操作すると、係合部材１３５の先端部１３５ａが押圧部材１１Ａの張り出し部１１３の下面の右側部分と係合するので、第１回転部１３１の回転操作に従って押圧部材１１Ａが上方向に押し戻されていくことになる。そして、ロック機構１４Ａでは、第２コイルばね１４２の付勢により摺動部材１４５の先端部１４５ａが押圧部材１１Ａの側面に押し当てられている、或いは、摺動部材１４５の先端部１４５ａの段状切欠き部が押圧部材１１Ａの張り出し部１１３の側面に押し当てられているので、押し戻し機構１３Ａにより押圧部材１１Ａが押し戻されたときには、図１１に示すように、摺動部材１４５の先端部１４５ａの段状切り欠き部が押圧部材１１Ａの張り出し部１１３と自動的に係合することになる。
【００７７】
「下枠固定装置の構成」
次に、図１２を参照して、下枠固定装置２０の具体的構成について説明する。下枠固定装置２０は、一対の右側下枠固定装置２０Ａおよび左側下枠固定装置２０Ｂを備えるが、ここでは、代表的に右側下枠固定装置２０Ａについて説明する。図１２（ａ）は右側下枠固定装置２０Ａを右斜め前方から見た固定解除時の斜視図であり、図１２（ｂ）は右斜め後方から見た固定時の斜視図である。
【００７８】
右側下枠固定装置２０Ａは、第１部材２０１、延出部２０２、第２部材２０３、調整棒部材２０４、操作部２０５、アーム部材２０６および圧接部材２０７を備えている。図１２（ｂ）に示すように、第１部材２０１の裏側面が下板材５２の上面に、折り曲げ部２０１ａの内側面が下板材５２の端面にそれぞれ当接し、また、第２部材２０３の折り曲げ部２０３ｂの外側面が枠体３１の端面に当接するように設置され、下板材５２に固定されている。なお、延出部２０２の折り曲げ部２０２ａに支持された調整棒部材２０４は、枠体３１の端面から下板材５２の端面までの距離に応じて、第１部材２０１上で第２部材２０３を遊技台３０の盤面３２に直交する手前側または奥側へ摺動調整するためのものである。
【００７９】
上板材５１および下板材５２に挟まれる空間に枠体３１が載置されると、調整棒部材２０４による第２部材２０３の摺動調整で、第２部材２０３の折り曲げ部２０３ｂの外側面を枠体３１の端面に当接させた後に、操作部２０５を（図に対して）右斜め手前側に押し倒すことで、圧接部材２０７の圧接面２０７ａが枠体３１の上面に当接して、枠体３１の下辺部が下板材５２に固定される。
【００８０】
「変形例」
次に、図１３は実施の形態の上枠固定装置１０の変形例を示す図であり、（ａ）はロック状態時を、（ｂ）はロック解放時をそれぞれ示す。この変形例では、１個の上枠固定装置１０Ｃによって枠体３１の上辺部が上板材５３に固定される。但し、押圧部材１１Ｃの構造が実施の形態とは異なり、アーム部１１６を介して２つの先端部（第１先端部１１７および第２先端部１１８）を備えている。なお、第１先端部１１７および第２先端部１１８には、それぞれ第１突起部１１７ａおよび第２突起部１１８ａが備えられている。
押圧部材１１Ｃ以外の各機構（押し戻し機構１３Ｃ、ロック機構および射出機構１４Ｃ等）の構成および各部材（フレーム１７Ｃ、ベース板１９等）の構造は、上記実施の形態と同等であるので、説明を省略する。
【００８１】
このように、１個の上枠固定装置１０Ｃで、押圧部材１１Ｃに複数個の先端部を備えた構成とすることにより、遊技台の島柄への固定機能を担保しつつ、装置コストの低減を図ることができる。
【００８２】
以上、本発明の実施の形態およびその変形例について説明したが、具体的な構成は、上記の実施の形態および変形例に限られるものではなく、この発明の要旨を逸脱しない範囲の設計の変更等があっても、この発明に含まれる。例えば、上記実施の形態では、図４〜図１１を参照して説明した固定装置を上枠固定装置とし、図１２を参照して説明した固定装置を下枠固定装置とする構成を例示したが、これらを真逆に設置することも可能である。すなわち、図４〜図１１を参照して説明した固定装置を下枠固定装置とし、図１２を参照して説明した固定装置を上枠固定装置とする構成である。
【符号の説明】
【００８３】
１                      島（遊技台島）
１０，１０Ｃ            上枠固定装置（遊技台固定装置）
９Ａ，９Ｂ              位置規制部材
１０Ａ                  右側上枠固定装置
１０Ｂ                  左側上枠固定装置
１１Ａ，１１Ｂ，１１Ｃ  押圧部材
１２Ａ，１２Ｂ          付勢部材
１３Ａ，１３Ｂ，１３Ｃ  押し戻し機構
１４Ａ，１４Ｂ，１４Ｃ  ロック機構および射出機構
１６，１９              ベース板
１６Ｆ                  ガイド孔（ガイド部）
１７Ａ，１７Ｂ，１７Ｃ  フレーム
１８Ａ，１８Ｂ          傾斜調整機構
２０                    下枠固定装置（遊技台固定装置）
２０Ａ                  右側下枠固定装置
２０Ｂ                  左側下枠固定装置
３０                    遊技台
３１                    枠体
３２                    盤面
５１                    上板材
５１ａ                  上板孔（逃げ部）
５２                    下板材
５３                    上補助材
５４                    膳板
５５                    下補助材
６１                    ランプ板（板状部材）
１１２，１１７，１１８  先端部（押圧部材）
１１２ａ，１１７ａ，１１８ａ  突起部
１１３                  張り出し部
１１６                  アーム部
１３１，１４１          回転部（回転操作部）
１３２，１４２          コイルばね
１３３，１４３          クランク
１３４，１４４          リンク棒（リンク機構）
１３５                  係合部材
１３５ａ                先端部（係合部材）
１４５                  摺動部材
１４５ａ                先端部（摺動部材）
１７１ａ                上面ガイド部（ガイド部）
１７６                  可動部材
１８１                  第３回転部
１８２                  調整棒部材
１８５，１８６          Ｌ字状部材
【図１】
2016202784.tif 000003
【図２】
2016202784.tif 000004
【図３】
2016202784.tif 000005
【図４】
2016202784.tif 000006
【図５】
2016202784.tif 000007
【図６】
2016202784.tif 000008
【図７】
2016202784.tif 000009
【図８】
2016202784.tif 000010
【図９】
2016202784.tif 000011
【図１０】
2016202784.tif 000012
【図１１】
2016202784.tif 000013
【図１２】
2016202784.tif 000014
【図１３】
2016202784.tif 000015